(57)【特許請求の範囲】
【請求項１】
光源ランプを備えた器具本体と、この器具本体に対して着脱可能に設けられた透光カバーとを備え、この器具本体と透光カバーとが狭隘な隙間を介して対面する対面箇所に防虫部材を配位し、防虫部材を介して器具本体と透光カバーとを実質的に当接させることによって、当該隙間から虫類の侵入を防止した防虫機構付き照明器具において、
上記の防虫部材は、上記の対面箇所における器具本体と透光カバーとの少なくとも何れか一方の表面に植毛を施したフロッキー加工による植毛層であり、
前記器具本体は、当該器具本体の周囲に横方向に伸びる基板周縁部と、この基板周縁部の外周から下方に延設された垂下部と、この垂下部の下端に形成された反転部とを備え、この反転部は、折り曲げられた状態で、その外周端が下端よりも上方に位置するものであり、
前記透光カバーは、透光性を備えた底部と、この底部の外周部から上方に伸びる胴部とを備え、この胴部の上端は、開口した開口部を形成しており、
この透光カバーは、上記開口部から前記器具本体の光源ランプを当該透光カバー内部に収納するように、前記器具本体に取り付けられるものであり、
この透光カバーの上端は、上記の胴部から径内方向に延びる第２上面部と、この第２上面部の内周端から上昇すると共に外方向に反転するコーナー部と、このコーナー部から径内方向に延びる第１上面部とを備え、
前記器具本体と前記透光カバーとの対面箇所は、前記器具本体の構成部材と前記透光カバーの構成部材とが上下方向に配置された上下対面箇所と、前記器具本体の構成部材と前記透光カバーの構成部材とが横方向に配置された横対面箇所との少なくとも２箇所の対面箇所であり、
この透光カバーを器具本体に取り付けたとき、器具本体の垂下部の内面に対して第１上面部の外端面が対面するものであり、この対面箇所が上記の横対面箇所となり、上記の器具本体の反転部に対して第２上面部の上面が対面し、この対面箇所が上記の上下対面箇所となり、
上記の器具本体の反転部及び垂下部に上記の植毛層が形成されたことにより、上記の２箇所の対面箇所に前記植毛層が形成されたものであることを特徴とする防虫機構付き照明器具。
【請求項２】
上記の器具本体の基板周縁部に対して透光カバーの上記の第１上面部の上面が対面するものであり、上記の反転部から基板周縁部にかけて植毛層が形成されていることを特徴とする請求項１記載の防虫機構付き照明器具。
【請求項３】
光源ランプを備えた器具本体と、この器具本体に対して着脱可能に設けられた透光カバーとを備え、この器具本体と透光カバーとが狭隘な隙間を介して対面する対面箇所に防虫部材を配位し、防虫部材を介して器具本体と透光カバーとを実質的に当接させることによって、当該隙間から虫類の侵入を防止した防虫機構付き照明器具において、
上記の防虫部材は、上記の対面箇所における器具本体と透光カバーとの少なくとも何れか一方の表面に植毛を施したフロッキー加工による植毛層であり、
前記器具本体は、当該器具本体の周囲に横方向に伸びる基板周縁部と、この基板周縁部の外周から下方に延設された垂下部と、この垂下部の下端に形成された反転部とを備え、この反転部は、折り曲げられた状態で、その外周端が下端よりも上方に位置するものであり、
前記透光カバーは、透光性を備えた底部と、この底部の外周部から上方に伸びる胴部とを備え、この胴部の上端は、開口した開口部を形成しており、
この透光カバーは、上記開口部から前記器具本体の光源ランプを当該透光カバー内部に収納するように、前記器具本体に取り付けられるものであり、
この透光カバーの上端は、上記の胴部から径内方向に延びる第２上面部と、この第２上面部の内周端から上昇すると共に外方向に反転するコーナー部と、このコーナー部から径内方向に延びる第１上面部とを備え、
前記器具本体と前記透光カバーとの対面箇所は、前記器具本体の構成部材と前記透光カバーの構成部材とが上下方向に配置された上下対面箇所と、前記器具本体の構成部材と前記透光カバーの構成部材とが横方向に配置された横対面箇所との少なくとも２箇所の対面箇所であり、
この透光カバーを器具本体に取り付けたとき、器具本体の垂下部の内面に対して第１上面部の外端面が対面するものであり、この対面箇所が上記の横対面箇所となり、上記の器具本体の反転部に対して第２上面部の上面が対面し、この対面箇所が上記の上下対面箇所となり、
透光カバーの第２上面部及び第１上面部の外端面に上記の植毛層が形成されたことにより、上記の２箇所の対面箇所に前記植毛層が形成されたものであることを特徴とする防虫機構付き照明器具。
【請求項４】
上記の第１上面部の上面から第２上面部の上面にかけて連続して植毛層が形成されたものであることを特徴とする請求項３記載の防虫機構付き照明器具。
【請求項５】
上記の器具本体の基板の中央には天井に対する取付手段として引っ掛けシーリングアダプタが取り付けられ、この引っ掛けシーリングアダプタと上記の基板との間の隙間から虫類が侵入することを防止するために、上記の基板の上面には上記の引っ掛けシーリングアダプタを取り囲むように、弾性部材が環状に取り付けられており、この弾性部材の上下厚みは、基板の上面天井との間の間隔よりも大きなものであり、天井に器具本体を取り付けた際に、弾性部材の上面が天井に圧接するものであることを特徴とする請求項１〜４のいずれかに記載の防虫機構付き照明器具。
【発明の詳細な説明】
【技術分野】
【０００１】
本願発明は、防虫機構付き照明器具に関するものである。
【背景技術】
【０００２】
従来より、虫類の多くは光源に集まる性質があるため、照明器具における防虫対策の必要性は高いものであった。光源ランプを備えた器具本体と、これに着脱可能に取り付けられた透光カバーを有する照明器具（さらに詳しくは、天井面に装着されている器具本体に対して、透光カバーを下側から押し当て、たとえば右回りに少し回して両者を着脱自在に装着するようにした回転引掛け式の照明器具）では、両者の間の隙間から透光カバー内に虫類が侵入し、その虫類の死骸が外部から見えたりして不快感を与えたり、透光性を低下させてしまう。
【０００３】
そこで、特許文献１〜４に示す提案がなされている。特許文献１は、スポンジなどの弾性変形可能な合成樹脂を両者の間の隙間に配置したものである。ところが、スポンジを強く圧接させると透光カバーを回転させる際の抵抗が大きくなり、透光カバーの着脱が困難になる。特に、現在多くの透光カバーは圧空成形で製造されているが、この成形方法は板厚のばらつきが比較的大きいという課題があり、その結果、上記の回転抵抗のばらつきも大きくなってしまう。
【０００４】
特許文献２〜４は、この問題を解決するもので、帯条かつ輪状の柔軟体を両者の隙間に配置するものである。この柔軟体は、器具本体に接着される基部と該基部に植毛された毛様部を具備するものであり、前記透光カバーの周縁を前記柔軟体における前記毛様部に圧接させたものである。
【０００５】
ところが、このような植毛を施したテープを環状にして器具本体や透光カバーに接着する場合、内外の半径差によって上記の基部にしわが生じてしまうことがあり、防虫効果や着脱時の回転抵抗に影響を及ぼすおそれがあるため、厳重な生産管理が要求される。特に、特許文献４は、「前記柔軟体は前記鍔部に装着される基部と該基部に植毛された毛様部を具備するものであり、前記基部は前記鍔部に装着されることによって折れ曲がり、それにより前記毛様部は毛並みが垂直方向を向く垂直毛様部と毛並みが水平方向を向く水平毛様部を含み、前記器具本体における前記下折縁によって形成されるコーナー部における水平面に前記垂直毛様部が当接し、前記コーナー部における垂直面に前記水平毛様部が当接することを特徴とする天井用照明器具」を提案するものであるが、このような立体形状に植毛テープを貼り付けることは、困難であり、より慎重な生産管理が必要となる。
【０００６】
【特許文献１】特開平１１−２３８４０９号公報
【特許文献２】特開２００５−３５３５６２号公報
【特許文献３】特開２００６−１２７５７号公報
【特許文献４】特開２００６−２４５３８号公報
【発明の開示】
【発明が解決しようとする課題】
【０００７】
本願発明は、均一な植毛が施され確実な防虫効果を有すると共に、生産性の高い照明器具を提供することを目的とする。特に、透光カバーの製造に際してのばらつきが、上下方向と横方向（半径方向）との双方に生じた場合にあっても、良好な防虫を維持することができる照明器具を提供することを目的とする。
【課題を解決するための手段】
【０００８】
本願の請求項１に係る発明は、光源ランプを備えた器具本体と、この器具本体に対して着脱可能に設けられた透光カバーとを備え、この器具本体と透光カバーとが狭隘な隙間を介して対面する対面箇所に防虫部材を配位し、防虫部材を介して器具本体と透光カバーとを実質的に当接させることによって、当該隙間から虫類の侵入を防止した防虫機構付き照明器具において、
上記の防虫部材は、上記の対面箇所における器具本体と透光カバーとの少なくとも何れか一方の表面に植毛を施したフロッキー加工による植毛層であり、
前記器具本体は、当該器具本体の周囲に横方向に伸びる基板周縁部と、この基板周縁部の外周から下方に延設された垂下部と、この垂下部の下端に形成された反転部とを備え、この反転部は、折り曲げられた状態で、その外周端が下端よりも上方に位置するものであり、
前記透光カバーは、透光性を備えた底部と、この底部の外周部から上方に伸びる胴部とを備え、この胴部の上端は、開口した開口部を形成しており、
この透光カバーは、上記開口部から前記器具本体の光源ランプを当該透光カバー内部に収納するように、前記器具本体に取り付けられるものであり、
この透光カバーの上端は、上記の胴部から径内方向に延びる第２上面部と、この第２上面部の内周端から上昇すると共に外方向に反転するコーナー部と、このコーナー部から径内方向に延びる第１上面部とを備え、
前記器具本体と前記透光カバーとの対面箇所は、前記器具本体の構成部材と前記透光カバーの構成部材とが上下方向に配置された上下対面箇所と、前記器具本体の構成部材と前記透光カバーの構成部材とが横方向に配置された横対面箇所との少なくとも２箇所の対面箇所であり、
この透光カバーを器具本体に取り付けたとき、器具本体の垂下部の内面に対して第１上面部の外端面が対面するものであり、この対面箇所が上記の横対面箇所となり、上記の器具本体の反転部に対して第２上面部の上面が対面し、この対面箇所が上記の上下対面箇所となり、
上記の器具本体の反転部及び垂下部に上記の植毛層が形成されたことにより、上記の２箇所の対面箇所に前記植毛層が形成されたものであることを特徴とする防虫機構付き照明器具を提供する。
本願の請求項２に係る発明は、上記の器具本体の基板周縁部に対して透光カバーの上記の第１上面部の上面が対面するものであり、上記の反転部から基板周縁部にかけて植毛層が形成されていることを特徴とする請求項１記載の防虫機構付き照明器具を提供する。
本願の請求項３に係る発明は、光源ランプを備えた器具本体と、この器具本体に対して着脱可能に設けられた透光カバーとを備え、この器具本体と透光カバーとが狭隘な隙間を介して対面する対面箇所に防虫部材を配位し、防虫部材を介して器具本体と透光カバーとを実質的に当接させることによって、当該隙間から虫類の侵入を防止した防虫機構付き照明器具において、
上記の防虫部材は、上記の対面箇所における器具本体と透光カバーとの少なくとも何れか一方の表面に植毛を施したフロッキー加工による植毛層であり、
前記器具本体は、当該器具本体の周囲に横方向に伸びる基板周縁部と、この基板周縁部の外周から下方に延設された垂下部と、この垂下部の下端に形成された反転部とを備え、この反転部は、折り曲げられた状態で、その外周端が下端よりも上方に位置するものであり、
前記透光カバーは、透光性を備えた底部と、この底部の外周部から上方に伸びる胴部とを備え、この胴部の上端は、開口した開口部を形成しており、
この透光カバーは、上記開口部から前記器具本体の光源ランプを当該透光カバー内部に収納するように、前記器具本体に取り付けられるものであり、
この透光カバーの上端は、上記の胴部から径内方向に延びる第２上面部と、この第２上面部の内周端から上昇すると共に外方向に反転するコーナー部と、このコーナー部から径内方向に延びる第１上面部とを備え、
前記器具本体と前記透光カバーとの対面箇所は、前記器具本体の構成部材と前記透光カバーの構成部材とが上下方向に配置された上下対面箇所と、前記器具本体の構成部材と前記透光カバーの構成部材とが横方向に配置された横対面箇所との少なくとも２箇所の対面箇所であり、
この透光カバーを器具本体に取り付けたとき、器具本体の垂下部の内面に対して第１上面部の外端面が対面するものであり、この対面箇所が上記の横対面箇所となり、上記の器具本体の反転部に対して第２上面部の上面が対面し、この対面箇所が上記の上下対面箇所となり、
透光カバーの第２上面部及び第１上面部の外端面に上記の植毛層が形成されたことにより、上記の２箇所の対面箇所に前記植毛層が形成されたものであることを特徴とする防虫機構付き照明器具を提供する。
本願の請求項４に係る発明は、上記の第１上面部の上面から第２上面部の上面にかけて連続して植毛層が形成されたものであることを特徴とする請求項３記載の防虫機構付き照明器具を提供する。
本願の請求項５に係る発明は、上記の器具本体の基板の中央には天井に対する取付手段として引っ掛けシーリングアダプタが取り付けられ、この引っ掛けシーリングアダプタと上記の基板との間の隙間から虫類が侵入することを防止するために、上記の基板の上面には上記の引っ掛けシーリングアダプタを取り囲むように、弾性部材が環状に取り付けられており、この弾性部材の上下厚みは、基板の上面天井との間の間隔よりも大きなものであり、天井に器具本体を取り付けた際に、弾性部材の上面が天井に圧接するものであることを特徴とする請求項１〜４のいずれかに記載の防虫機構付き照明器具を提供する。
【発明の効果】
【０００９】
本願発明は、均一な植毛が施され確実な防虫効果を有すると共に、生産性の高い照明器具を提供することができものである。特に、上下対面箇所と、横対面箇所との少なくとも２箇所の対面箇所を設け、両対面箇所に植毛層を形成することによって、透光カバーの製造に際してのばらつきが、上下方向と横方向（半径方向）とのいずれの方向に生じた場合にあっても、良好な防虫を維持することが可能となった照明器具を提供することができたものである。
【発明を実施するための最良の形態】
【００１０】
以下、図面に基づき本願発明の実施の形態を説明する。
図１（Ａ）は本願発明の実施の第１の形態に係る照明器具の要部拡大図であり、（Ｂ）はさらにその部分拡大図である。図２は同照明器具の断面図であり、図３は同照明器具の使用状態を示す斜視図である。
【００１１】
この照明器具は、装置本体１１と、この装置本体１１に対して着脱可能に取り付けられるセードと呼ばれる透光カバー２１とを備える。装置本体１１は、平面視円形の金属製等の略平板状の基板１２を備え、この基板１２にコンデンサやスイッチなどの点灯用機器と、この点灯用機器によって点灯させられる環形の蛍光ランプ等の光源ランプ３１が取り付けられるものである。また基板１２の中央には天井に対する取付手段として引っ掛けシーリングアダプタ３２が取り付けられ、この引っ掛けシーリングアダプタ３２には天井３０に取り付けられた引っ掛けシーリング３３に接続される。この引っ掛けシーリングアダプタ３２と基板１２との間の隙間から虫類が侵入することを防止するために、基板１２の上面には引っ掛けシーリングアダプタ３２を取り囲むように、弾性部材３４が環状に取り付けられている。この弾性部材３４には、発泡ウレタンなどの弾力性を備えたものが適しており、その上下厚みは、基板１２の上面と天井３０との間の間隔よりも僅かに大きなものとしておく。そして、弾性部材３４の下面を基板１２の上面に接着剤などで固定し、天井３０に装置本体１１を取り付けた際に、弾性部材３４の上面が天井３０に圧接するようにする。
【００１２】
次に、基板１２の周縁部１３は、横方向（図の左右方向）に伸びるもので、天井３０に対して略平行に配置される。ここで、横方向に伸びるとは、装置本体１１の縦断面において、周縁部１３が横方向成分のみで規定されるものの他、周縁部１３が横方向成分と上下方向成分との２成分で規定される斜面状となっているものも含む。
【００１３】
この周縁部１３の外周からは、下方に延設された垂下部１４と、この垂下部１４の下端に形成された反転部１５とを備える。垂下部１４は必ずしも垂直に下方に伸びる必要はなく、上下方向の成分を含むものであればよく斜め下方に伸びるものであってもよい。図では、反転部１５は１周のカールとなっているが、半周であってもよく、二つ折りになったものであってもよく、多角形に曲げたものであってもよい。要は、垂下部１４の下端が切りっぱなしになっているのではなく、折り曲げられた状態で、その外周端が下端よりも上方に位置するものであればよい。
【００１４】
これに対して透光カバー２１は、透光性を備えた底部２２と、この底部２２の外周部から上方に伸びる胴部２３とを備え、この胴部２３の上端は、開口した開口部２０を形成している。そして、図３に示すように、この開口部２０から、装置本体１１の光源ランプ３１を収納するように、装置本体１１に取り付けられる。この取り付けは、基板１２の周縁部１３に設けられた本体側係止部（図示せず）と、透光カバー２１に設けられたカバー側係止部（図示せず）とを嵌め合わせて、透光カバー２１を右（又は左）に回すことによって、透光カバー２１が装置本体１１から脱落しないように固定される。
【００１５】
この透光カバー２１の上端は、胴部２３から径内方向に延びる第２上面部２４と、第２上面部２４の内周端から上昇すると共に外方向に反転するコーナー部２５と、コーナー部２５から径内方向に延びる第１上面部２６とを備える。なお当該各部の説明は断面に基づいて行ったが、実際の形状は同一断面形状を備えた環状に形成されているものである。
【００１６】
この透光カバー２１を装置本体１１に取り付けたとき、装置本体１１の垂下部１４の内面に対して第１上面部２６の外端面２７（先端面）が対面するものであり、この外端面２７が特許請求の範囲に言う第１対面部となる。また、装置本体１１の反転部１５は、垂下部１４の外側に位置するものであり、この垂下部１４に対して第２上面部２４の上面が対面し、この第２上面部２４の上面が特許請求の範囲にいう第２対面部となる。
そして、この反転部１５と垂下部１４に植毛層４１が形成されている。
【００１７】
さらに、この例では、周縁部１３の下面が第１上面部２６の上面と対面する第３対面部となっているものであり、この周縁部１３にも植毛層４１が上記の反転部１５および垂下部１４の植毛層４１と連続して形成されている。これによって、３箇所での防虫が実現する。特に、横方向の対面（第１対面部）と、上下方向の対面（第２、第３対面部）との２方向の対面がなされるため、半径方向のクリアランスが大きくなった場合にも、上下方向のクリアランスが大きくなった場合にも、いずれかの対面部によって防虫効果は維持され得るものである。
より詳しくは、図の例では、反転部１５は、垂下部１４から外向きに円形にカールして形成されており、この円形のカールの略下半分（時計の３時の位置から６時を経て９時の位置）の外周から、垂下部１４の内面側（径内側）を経て、周縁部１３の下面に至る範囲に、植毛層４１が形成されている。特に、垂下部１４の成形については誤差が大きくなる傾向にあるが、周縁部１３と垂下部１４との間の屈曲箇所から径内方向に約２mm、望ましくは５mm以上植毛層４１を形成することによって、垂下部１４と第１上面部２６の外端面２７との間の植毛の接触が外れてしまっても、周縁部１３と第１上面部２６との間の植毛の接触は維持されるめ、確実な防虫効果を実現することができる。また、これら一連の植毛層４１の形成は、下記のフロッキー加工によって、一回の植毛加工工程で実現することがき、且つ均一な加工が可能となったものである。
【００１８】
この植毛層は、弾性を有するポリアミド繊維、レーヨン繊維、ポリエステル繊維などの合成繊維製の毛を上記の被加工面にフロッキー加工で植えたものである。このフロッキー加工は、カッターなどで短く切断したパイルと呼ばれるショートカット繊維を、接着剤を塗布した被加工面に対してパイルが垂直に立つように接着するものである。フロッキー加工方法には機械加工、静電加工、毛植加工、高周波加工などがあるが、静電加工が一般的である。この方法は、高電圧のかかった電界の一方に繊維粉末を供給、荷電させ、電界の他方に設置した接着剤を塗布した被加工面へ加速させることによって、接着剤中へ投錨するもので、接着剤としては、水性のアクリルエマルジョンタイプや、溶剤系のポリウレタン、エポキシ、合成ゴム、ポリ酢酸ビニルなどを利用できる。このように、フロッキー加工によって、内外の径の異なる部分であっても、均一な植毛が可能である。特に、円弧形状の反転部１５に対しても、均一な植毛が可能となり、良好な防虫が実現する。繊維長は、短すぎると隙間が埋まらなくて防虫性能が低下し、長すぎると透光カバー２１の着脱時の回転抵抗が大きくなるもので、０．５〜５．０mmが望ましく、１．０〜２．０mmがより望ましい。
【００１９】
次に、図４は第２の実施の形態を示すもので、この例では、植毛層４１を透光カバー２１側に設けたものである。第１上面部２６の上面から外端面２７及び下面と、コーナー部２５の内面及び、第２上面部２４の上面に植毛層４１を形成し、周縁部１３の下面と、垂下部１４の内面と、反転部１５の下端との間の隙間を埋めているものである。なお、装置本体１１と透光カバー２１とが当接していない部分には、植毛層４１を設ける必要はない。ただし、植毛を施さない部分には、事前にマスキングを行なう必要があり、加工の手間がかかるという欠点がある。
【００２０】
次に、図５は第３の実施の形態を示すもので、この例では、弾性部材４２を別個に設け、この弾性部材４２に植毛層４１を形成するものである。この弾性部材４２は、発泡ウレタン等の弾性を有する部材を環状に装置本体１１又は透光カバー２１に接着したものである。この例では、装置本体１１の垂下部１４に接着した弾性部材４２の下端面を第２上面部２４に対面させたもので、この下端面に植毛層４１を形成したものである。この例では、植毛層４１と弾性部材４２の双方の弾性によって、植毛層４１と第２上面部２４とが当接するが、植毛層４１の弾性のみで当接するものであってもよい。なお、植毛層４１のない状態で、弾性部材４２と第２上面部２４とは当接している必要はない。
【００２１】
次に、図６は第４の実施の形態を示すものである。透光カバー２１を、木枠２９ａ及び取付天板２９ｂに固定し、取付天板２９ｂに設けられた脱着部２９ｃによって、装置本体１１に着脱するものである。この例では、透光カバー２１は、平面視円形でも、四角形であっても、装置本体１１に対して回転させることによって着脱することができる。
【００２２】
この透光カバー２１の脱着部２９ｃには、垂下部１４の下端、すなわち反転部１５を受容する谷部２８が形成されている。これによって、谷部２８の側面が、反転部１５に対して内側と外側との少なくともいずれか一方から対面する第１対面部となる。また谷部２８の底面が、この第１対面部の下方であってこの第１対面部よりも外周若しくは内側に形成された第２対面部となる。そして、植毛層４１が反転部１５に形成されることによって、両対面部に植毛層４１が配位されることになる。なお、反対側の谷部２８に植毛層４１を形成して実施してもよい。
【実施例】
【００２３】
次に、本願発明の理解を高めるために実施例を示すが、本願発明はこの実施例に限定して理解されるべきではない。
【００２４】
実施例１：図１に示す第１の実施の形態に係る照明器具を作成した。植毛層は、ポリアミド繊維製でパイル長（植毛の長さ）１．２mmとした。
【００２５】
実施例２：図４に示す第２の実施の形態に係る照明器具を作成した。植毛層は、ポリアミド繊維製でパイル長（植毛の長さ）２．０mmとした。
【００２６】
実施例３：図５に示す第３の実施の形態に係る照明器具を作成した。植毛層は、ポリアミド繊維製でパイル長（植毛の長さ）２．０mmとした。
【００２７】
防虫試験：実施例１〜３と、対照区として第１の実施の形態に係る照明器具であって植毛層を形成していないものとの合計４個の照明器具それぞれに、昼光色環形ランプ２本を装着して、郊外の屋外にて点灯させた。これらの照明器具は、地面から１５２cmの高さに並べて配置し、１２４８時間（実施例３のみは１６８時間）点灯させ、器具本体１１と透光カバー２１との内部空間内に侵入した虫類の数を確認したところ、下記の通りであった。
実施例１：０個
実施例２：０個
実施例３：１２個
対照区  ：２７６個
【００２８】
着脱試験：実施例１〜３の照明器具について、透光カバー２１の着脱時の回転抵抗を、対照区と比較して、４段階で評価してその結果を下記に示した。なお、評価Ａは対照区  よりも軽く回る。評価Ｂは対照区と同程度。評価Ｃは対照区よりも重い。評価Ｄは非常に重く回りにくい。
実施例１：評価Ｂ
実施例２：評価Ｂ
実施例３：評価Ｂ
【図面の簡単な説明】
【００２９】
【図１】（Ａ）は本願発明の実施の第１の形態に係る照明器具の要部拡大図であり、（Ｂ）はさらにその部分拡大図である。
【図２】同照明器具の断面図である。
【図３】同照明器具の使用状態を示す斜視図である。
【図４】（Ａ）は本願発明の実施の第２の形態に係る照明器具の要部拡大図であり、（Ｂ）はさらにその部分拡大図である。
【図５】（Ａ）は本願発明の実施の第３の形態に係る照明器具の要部拡大図であり、（Ｂ）はさらにその部分拡大図である。
【図６】（Ａ）は本願発明の実施の第４の形態に係る照明器具の要部拡大図であり、（Ｂ）はさらにその部分拡大図である。
【符号の説明】
【００３０】
１１装置本体
１２基板
１３周縁部
１４垂下部
１５反転部
２０開口部
２１透光カバー
２２底部
２３胴部
２４第２上面
２５コーナー部
２６第１上面
２７外端面
２８谷部
３０天井
３１光源ランプ
３２引っ掛けシーリングアダプタ
３３引っ掛けシーリング
３４弾性部材
４１植毛層
４２弾性部材
【要約】
【課題】均一な植毛が施され確実な防虫効果を有すると共に、生産性の高い照明器具の提供を図る。
【解決手段】光源ランプを備えた器具本体１１と、この器具本体１１に対して着脱可能に設けられた透光カバー２１とを備える。この器具本体１１と透光カバー２１とが狭隘な隙間を介して対面する対面箇所に植毛層４１を形成する。この植毛層４１は、フロッキー加工による植毛層とすることにより、均一な植毛を良好な生産性によって提供できる。
【選択図】          図１【図１】
0004137170.tif 000002
【図２】
0004137170.tif 000003
【図３】
0004137170.tif 000004
【図４】
0004137170.tif 000005
【図５】
0004137170.tif 000006
【図６】
0004137170.tif 000007